【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
撮像装置および画像処理装置からなる画像処理システムにおいて、
前記撮像装置は、
被写体を含む画像を撮像する撮像手段と、
前記被写体の状態情報を取得する状態情報取得手段と、
前記画像と、前記被写体の状態情報とを記録する記録手段と
を含み、
前記画像処理装置は、
前記記録手段により記録された画像と、前記被写体の状態情報とにより、前記画像に対しての加工内容を指示する加工内容決定手段と、
前記加工内容に基づいて、前記画像に加工を加えるための設定情報を設定する設定手段と、
前記画像より特徴量を抽出する第１の特徴量抽出手段と、
前記第１の特徴量抽出手段により抽出された前記画像の特徴量に対応付けて前記設定情報を設定情報記録媒体に記録する記録手段と
を含む
画像処理システム。
【請求項２】
前記被写体の状態情報は、前記被写体の位置情報を含む
請求項１に記載の画像処理システム。
【請求項３】
前記画像処理装置は、
前記記録手段により記録された画像と、前記被写体の位置情報とにより前記画像内の特定の被写体が含まれているか否かを判定する判定手段をさらに含み、
前記加工内容決定手段は、前記判定手段の判定結果により前記画像内に特定の被写体が含まれている場合、前記画像に対しての加工内容を指示する
請求項２に記載の画像処理システム。
【請求項４】
前記撮像装置は、
前記画像に、前記被写体の状態情報を合成する合成手段をさらに含み、
前記記録手段は、前記合成手段により前記被写体の状態情報が合成された画像を画像記録媒体に記録し、
前記画像処理装置は、
前記合成手段により前記被写体の状態情報が合成された画像より、前記画像と、前記状態情報とを分離する分離手段を含み、
前記加工内容決定手段は、前記分離手段により分離された前記画像および前記状態情報により、前記画像に対しての加工内容を指示する
請求項１に記載の画像処理システム。
【請求項５】
前記記録手段は、
前記画像を記録する画像記録手段と、
前記画像より特徴量を抽出する第２の特徴量抽出手段と、
前記第２の特徴量抽出手段により抽出された特徴量に対応付けて、前記被写体の状態情報を記録する状態情報記録手段と
を含み、
前記画像記録手段は、前記画像を画像記録媒体に記録し、
前記状態情報記録手段は、前記第２の特徴量抽出手段により抽出された前記特徴量に対応付けて前記被写体の状態情報を状態情報記録媒体に記録し、
前記画像処理装置は、
前記状態情報記録媒体に記録されている前記特徴量と、前記特徴量抽出手段により抽出された特徴量とを同期させる同期手段と、
前記同期手段により同期した特徴量に対応付けられた状態情報を、前記状態情報記録媒体より取得する取得手段とをさらに含み、
前記加工内容決定手段は、前記画像記録媒体に記録された画像、および、前記取得手段により取得された状態情報より、前記画像に対しての加工内容を指示する
請求項１に記載の画像処理システム。
【請求項６】
撮像装置および画像処理装置からなる画像処理システムの画像処理方法において、
前記撮像装置の画像処理方法は、
被写体を含む画像を撮像する撮像ステップと、
前記被写体の状態情報を取得する状態情報取得ステップと、
前記画像と、前記被写体の状態情報とを記録する記録ステップと
を含み、
前記画像処理装置の画像処理方法は、
前記記録ステップの処理により記録された画像と、前記被写体の状態情報とにより、前記画像に対しての加工内容を指示する加工内容決定ステップと、
前記加工内容に基づいて、前記画像に加工を加えるための設定情報を設定する設定ステップと、
前記画像より特徴量を抽出する第１の特徴量抽出ステップと、
前記第１の特徴量抽出ステップの処理により抽出された前記画像の特徴量に対応付けて前記設定情報を設定情報記録媒体に記録する記録ステップと
を含む
画像処理システムの画像処理方法。
【請求項７】
撮像装置および画像処理装置からなる画像処理システムを制御するプログラムを記録するプログラム記録媒体において、
前記撮像装置を制御するプログラムは、
被写体を含む画像を撮像する撮像ステップと、
前記被写体の状態情報を取得する状態情報取得ステップと、
前記画像と、前記被写体の状態情報とを記録する記録ステップと
を含み、
前記画像処理装置を制御するプログラムは、
前記記録ステップの処理により記録された画像と、前記被写体の状態情報とにより、前記画像に対しての加工内容を指示する加工内容決定ステップと、
前記加工内容に基づいて、前記画像に加工を加えるための設定情報を設定する設定ステップと、
前記画像より特徴量を抽出する第１の特徴量抽出ステップと、
前記第１の特徴量抽出ステップの処理により抽出された前記画像の特徴量に対応付けて前記設定情報を設定情報記録媒体に記録する記録ステップと
を含む
コンピュータが読み取り可能なプログラムが記録されているプログラム記録媒体。
【請求項８】
撮像装置および画像処理装置からなる画像処理システムを制御するコンピュータのプログラムのうち、
前記撮像装置を制御するコンピュータに、
被写体を含む画像を撮像する撮像ステップと、
前記被写体の状態情報を取得する状態情報取得ステップと、
前記画像と、前記被写体の状態情報とを記録する記録ステップと
を含む処理を実行させ、
前記画像処理装置を制御するコンピュータに、
前記記録ステップの処理により記録された画像と、前記被写体の状態情報とにより、前記画像に対しての加工内容を指示する加工内容決定ステップと、
前記加工内容に基づいて、前記画像に加工を加えるための設定情報を設定する設定ステップと、
前記画像より特徴量を抽出する第１の特徴量抽出ステップと、
前記第１の特徴量抽出ステップの処理により抽出された前記画像の特徴量に対応付けて前記設定情報を設定情報記録媒体に記録する記録ステップと
を含む処理を実行させるプログラム。
【請求項９】
画像内の特定の被写体の状態により、前記画像に対しての加工内容を指示する加工内容決定手段と、
前記加工内容に基づいて、前記画像に加工を加えるための設定情報を設定する設定手段と、
前記画像より特徴量を抽出する特徴量抽出手段と、
前記画像の特徴量に対応付けて前記設定情報を設定情報記録媒体に記録する記録手段と
を含む画像処理装置。
【請求項１０】
前記画像には、前記被写体毎の状態情報が含まれ、
前記加工内容決定手段は、前記被写体毎の状態情報に基づいた、前記画像内の特定の被写体の状態により、前記画像に対しての加工内容を指示する
請求項９に記載の画像処理装置。
【請求項１１】
前記状態情報は、位置情報を含み、
前記被写体毎の位置情報に基づいて、前記特定の被写体が、前記画像内に存在して、かつ、他の被写体よりも前に存在するか否かにより、前記画像内に特定の被写体が含まれているか否かを判定する前記判定手段をさらに含み、
前記加工内容決定手段は、前記判定手段の判定結果に基づいて、前記画像に対しての加工内容を指示する
請求項１０に記載の画像処理装置。
【請求項１２】
前記画像の特徴量に対応付けられている前記被写体毎の状態情報を取得手段をさらに含み、
前記加工内容決定手段手段は、前記画像の特徴量に対応付けられている前記被写体毎の状態情報に基づいた、前記特定の被写体の状態により、前記画像に対しての加工内容を指示する
請求項９に記載の画像処理装置。
【請求項１３】
前記状態情報は、位置情報を含み、
前記画像の特徴量に対応付けられている前記被写体毎の位置情報に基づいて、前記特定の被写体が、前記画像内に存在して、かつ、他の被写体よりも前に存在するか否かにより、前記画像内に特定の被写体が含まれているか否かを判定する前記判定手段をさらに含み、
前記加工内容決定手段は、前記判定手段の判定結果に基づいて、前記画像に対しての加工内容を指示する
請求項１２に記載の画像処理装置。
【請求項１４】
画像内の特定の被写体の状態により、前記画像に対しての加工内容を指示する加工内容決定ステップと、
前記加工内容に基づいて、前記画像に加工を加えるための設定情報を設定する設定ステップと、
前記画像より特徴量を抽出する特徴量抽出ステップと、
前記画像の特徴量に対応付けて前記設定情報を設定情報記録媒体に記録する記録ステップと
を含む画像処理方法。
【請求項１５】
画像内の特定の被写体の状態により、前記画像に対しての加工内容を指示する加工内容決定ステップと、
前記加工内容に基づいて、前記画像に加工を加えるための設定情報を設定する設定ステップと、
前記画像より特徴量を抽出する特徴量抽出ステップと、
前記画像の特徴量に対応付けて前記設定情報を設定情報記録媒体に記録する記録ステップと
を含むコンピュータが読み取り可能なプログラムが記録されているプログラム記録媒体。
【請求項１６】
画像内の特定の被写体の状態により、前記画像に対しての加工内容を指示する加工内容決定ステップと、
前記加工内容に基づいて、前記画像に加工を加えるための設定情報を設定する設定ステップと、
前記画像より特徴量を抽出する特徴量抽出ステップと、
前記画像の特徴量に対応付けて前記設定情報を設定情報記録媒体に記録する記録ステップと
を含む処理をコンピュータに実行させるプログラム。
【請求項１７】
被写体を含む画像を撮像する撮像手段と、
前記被写体の状態情報を取得する状態情報取得手段と、
前記画像と、前記被写体の状態情報とを記録する記録手段と
を含む撮像装置。
【請求項１８】
被写体を含む画像を撮像する撮像ステップと、
前記被写体の状態情報を取得する状態情報取得ステップと、
前記画像と、前記被写体の状態情報とを記録する記録ステップと
を含む撮像方法。
【請求項１９】
被写体を含む画像を撮像する撮像ステップと、
前記被写体の状態情報を取得する状態情報取得ステップと、
前記画像と、前記被写体の状態情報とを記録する記録ステップと
を含むコンピュータが読み取り可能なプログラムが記録されているプログラム記録媒体。
【請求項２０】
被写体を含む画像を撮像する撮像ステップと、
前記被写体の状態情報を取得する状態情報取得ステップと、
前記画像と、前記被写体の状態情報とを記録する記録ステップと
を含む処理をコンピュータに実行させるプログラム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００５１
【補正方法】削除
【補正の内容】
【手続補正１０】
【補正対象書類名】明細書
【補正対象項目名】００５２
【補正方法】削除
【補正の内容】
【手続補正１１】
【補正対象書類名】明細書
【補正対象項目名】００６２
【補正方法】削除
【補正の内容】
【手続補正１２】
【補正対象書類名】明細書
【補正対象項目名】００６３
【補正方法】削除
【補正の内容】
【手続補正１３】
【補正対象書類名】明細書
【補正対象項目名】００６４
【補正方法】削除
【補正の内容】
【手続補正１４】
【補正対象書類名】明細書
【補正対象項目名】００６５
【補正方法】削除
【補正の内容】
【手続補正１５】
【補正対象書類名】明細書
【補正対象項目名】００６６
【補正方法】削除
【補正の内容】